(57)【要約】【課題】地域を移動しても、選局ボタンによる放送局の選択を移動前と同様な感覚で行えるようにする。【解決手段】受信したデジタル放送の放送波より放送局コードを抽出し、そのデータを利用し、既にチャンネルポジション記憶手段に同じ系列の放送局が登録されている場合、そのチャンネルポジションに受信した放送局を登録するチャンネルプリセット部を備えることにより、そのまま使っていた同じチャンネルポジションが使えることで、使い勝手のよいデジタル放送受信装置が提供できる。【選択図】図１
2006166071.tif 000002
【特許請求の範囲】
【請求項１】
受信したデジタル放送の放送波より放送局コード、エリアコード（もしくはリモコンＩＤ）を抽出する放送情報手段と、抽出した情報より放送局系列を決定する系列決定手段と、
系列決定手段で決定した放送局系列情報をチャンネルポジションと関連付け記憶するチャンネルポジション記憶手段と、放送局系列情報を比較する手段を備え、チャンネルポジション設定時に、既にチャンネルポジション記憶手段に同じ系列の放送局が登録されている場合、そのチャンネルポジションに受信した放送局を登録するチャンネルプリセット部を備えたデジタル放送受信装置。
【請求項２】
受信電波の電界強度レベルがしきい値以下の場合、自動で受信周波数を変更して、同系列の放送局を選局する手段を備えたことを特徴とする請求項１記載のデジタル放送受信装置。
【請求項３】
受信周波数を変更した場合に変更したことを使用者に示す手段を備えたことを特徴とする請求項２記載のデジタル放送受信装置。
【発明の詳細な説明】
【技術分野】
【０００１】
本発明は、衛星テレビ放送および地上波テレビ放送を受信可能なデジタル放送受信装置に関する。
【背景技術】
【０００２】
プリセット機能とは、チャンネル選択ボタンに受信可能なチャンネルを割り当てることにより、以降はチャンネル選択ボタンを選択するだけで所望のテレビ放送局の放送を受信できる機能をいう。テレビジョン放送は、全国一律ではなく、地方毎に異なっており、視聴するエリアが変われば、再びプリセットしなおす必要がある。しかもその地方独自のチャンネル割り当てが行われる。特に、車載用のテレビ受信装置の場合は、地域の移動の可能性が高いので、プリセットメモリの書き換えを行わないと、所望の放送局を受信できなくなるばかりでなく、テレビ放送自体も受信できなくなることがある。
【特許文献１】特開平１１−３３１７１７号公報
【発明の開示】
【発明が解決しようとする課題】
【０００３】
しかしながら、従来の構成では、放送エリアが変わるごとに利用者がチャンネルプランを更新して新しい放送エリアに対応させる必要があり、新しいエリアにてチャンネルプリセット動作をしなおしても、その地方独自のチャンネル割り当てが行われるため、今まで使い慣れていたチャンネル番号と局系列の関係とは異なってしまう。またユーザが手動により変更する場合は、かなりの時間と手間がかかり、作業が煩わしく、使い勝手のよくないものであった。
【０００４】
本発明は、このような従来の課題を解決するもので、地域を移動しても選局ボタンによる放送局の選択を移動前と同様にして行うことのできるデジタル放送受信装置を提供することを目的とする。
【課題を解決するための手段】
【０００５】
前記従来の課題を解決するために、本請求項１の発明のデジタル放送受信装置は、受信したデジタル放送の放送波より放送局コード、エリアコード（もしくはリモコンＩＤ）を抽出する放送情報手段と、抽出した情報より放送局系列を決定する系列決定手段と、系列決定手段で決定した放送局系列情報をチャンネルポジションと関連付け記憶するチャンネルポジション記憶手段と、放送局系系列情報を比較する手段を備え、チャンネルポジション設定時に、既にチャンネルポジション記憶手段に同じ系列の放送局が登録されている場合、そのチャンネルポジションに受信した放送局を登録するチャンネルプリセット部を備えたことを特徴としたものである。
【０００６】
本発明の請求項２に記載する発明は、請求項１において受信電波の電界強度レベルがしきい値以下の場合、自動で受信周波数を変更して、同系列の放送局を選局する手段を備えたことを特徴としたものである。
【０００７】
本発明の請求項３に記載する発明は、請求項２において受信周波数を変更した場合に変更したことを使用者に示す手段を備えたことを特徴としたものである。
【発明の効果】
【０００８】
本発明のデジタル放送受信機によれば、プリセット下放送局の選局ボタン番号を、異なる地域においても同じ選局ボタン番号になるようにチャンネルを並べ替えるようにしたので、ユーザは、以前と同じ感覚で選局を行うことができ、使い勝手を向上させることができる。
【発明を実施するための最良の形態】
【０００９】
以下に、本発明のデジタル放送受信装置実施の形態を図面とともに詳細に説明する。
【実施例１】
【００１０】
図１は、本発明の実施例におけるデジタル放送受信装置のブロック図を示す。
【００１１】
図１において、１０１はアンテナ入力端子であり、これは図示せぬアンテナが接続されている。１０２は受信部であり、無線或いは有線の伝送手段によって伝送される多重化、変調された映像信号、音声信号およびデータ信号を受信するためのもので、チューナーや復調器やエラー訂正器などを含む。本発明の実施の形態ではデジタル放送の多重化方式の１つであるＭＰＥＧ(Moving Picture Experts Group)で規定されるトランスポートストリーム（ＴＳ）を想定する。１０３はＴＳデコーダであり、受信部１０２により取り出されたトランスポートストリームを映像音声信号とデータに分離する。１０４はＡＶデコード部でありＴＳデコーダによって分離された映像音声信号をデコードするものである。１０６は映像再生部でありＡＶデコード１０４によってデコードされた信号をモニタやスピーカなどの出力部１０７に出力するものである。１０５は番組情報の抽出部であり、放送局コードやエリアコード（もしくはリモコンＩＤ）を識別し抽出する。１０８はユーザ入力部であり、テレビジョン受像装置本体やリモコン送信機のボタンなどで構成され、ユーザの操作指示入力をデータ処理部１０９へ伝達している。１１０は放送局ＤＢ（データベース）であり、図３（ａ）に示すように放送局コードと、その地域における放送局名と、放送局系列とが記憶されている。１１１は系列局決定部であり、放送局コードと放送局ＤＢから現在選局されている放送局が放送局系列を判別する。１１２はチャンネルポジション記憶部であり、図３（ｂ）に示すように入力部１０８に設けられた選局ボタン番号とそれぞれに対応する系列放送局、放送局名とが記憶されている。１１３は系列局比較部であり、新たに追加される放送局の系列局とチャンネルポジション記憶部１１２に記憶されている放送局とを比較する。
【００１２】
図２は、本発明の実施例１によるデジタル放送受信装置が受信する、衛星または地上波放送の電波によって放送送信側から伝送される番組情報の一例を示す図である。図２に示すように、番組情報には、放送送信側から放送される放送局コード、リモコンＩＤなどが記載されている。
【００１３】
次に、本実施の形態における動作について説明するが、放送受信本来の動作は従来と同じなので、ここではプリセット動作についてのみ説明する。まずこの装置を購入した時点で、その地域におけるテレビ放送局を放送局コード抽出部にて抽出したリモコンＩＤに従い、選局ボタンに対応させてチャンネルポジション記憶部１１２に記憶させる。例えば、選局ボタン０１にはＡ局、０２にはＢ局、０３にはＣ局といったように割り当てる。この第１回目のプリセットは、データ制処理部１０９の制御の基に受信部１０２が全てのチャンネルをサーチして、電界強度の高いチャンネルを選択することになる。このようにプリセットした以降は、入力部１０８の選局ボタンを押すと、データ制処理部１０９は、チャンネルポジション記憶部１１２から対応する放送局を選択し、放送局データベース１１０からその放送局の周波数を読み出して受信部１０２にセットし、その放送局のテレビ放送を受信することができる。その後プリセットされたチャンネルポジション情報は、ユーザが自由に変更できる。
【００１４】
ところが、地域を移動した場合には、その移動先においてプリセットメモリを書き換える必要がある。
【００１５】
図４は本実施の形態におけるチャンネルポジション記憶部の書き換え動作を示すフロー図である。まず入力部１０８のファンクションキーを押すことによりチャンネルポジション記憶部の書き換え指示を行う（ステップＳ４１）。データ処理部１０９が受信部１０２の周波数を変更（Ｓ４２）し、電界強度の高いチャンネルを選択する（Ｓ４３）。放送局コード１０５にてその電界強度の高いチャンネルの放送局コードを抽出する。放送局データベース１１０より放送系列局を確定させる。チャンネルプリセット記憶部１１２の中にその系列局のデータがすでに設定されていた場合、そのチャンネルを同じ系列局の選局ボタンに対応させてチャンネルポジション記憶部１１２に記憶させる（Ｓ４６）。また既に同じ系列の放送局が登録されているときは、図３（ｃ）のように枝番として登録させる（Ｓ４６）。
【００１６】
もし、選局したチャンネルと同じ系列の放送局が割り当てられていない場合、放送局コード抽出部１０５から抽出したリモコンＩＤに従わず、新しい選局ボタンに割り当てる（Ｓ４７）。
【００１７】
このようにすることによって、先にプリセットされている選局ボタンの番号と同じ番号には同じまたは同系列の放送局を割り当てるようにチャンネルポジション記憶部１１２を書き換えるので、移動先でのチャンネルポジション記憶部１１２の書き換えを自動的に行うことができ、しかも、移動前と移動先での選局ボタンに対応する放送局が同一または同系列なので、移動前と同じ感覚で選局ボタンを操作することができる。
【００１８】
また、視聴中のチャンネルが枝番の設定されているチャンネルの場合、その電界強度がしきい値を下回ることにより、自動で受信チャンネルを次の枝番の放送局を選局するようにする。例えば、図３（ｃ）のようにＮＨＫ総合松山を視聴中にこの放送局の電界強度がしきい値を下回ってしまった場合、次の枝番であるＮＨＫ総合高松を選局する。
【００１９】
このようにすることによって、同じ系列の放送局の放送が途切れることなく、視聴することができる。
【００２０】
さらに、自動で次の枝番の局を選局した場合、地域ごとで番組が異なる場合があるため、図３（ｄ）のようなメッセージを出力する。
【００２１】
このようにすることによって、視聴中の放送局が変更されたということを使用者に認識させることができると共に、使用者の混乱を避けることが可能となる。
【産業上の利用可能性】
【００２２】
本発明は、番組情報を使ってチャンネルプリセットを変更できる機能を有したデジタル放送受信装置に有効利用できる。
【図面の簡単な説明】
【００２３】
【図１】本発明の実施例１におけるデジタル放送受信装置の構成を示す概略ブロック図
【図２】本発明の実施例１によるデジタル放送受信装置が受信する、放送送出側から電波によって送信される番組情報の一例を示す図
【図３】（ａ）本発明の実施例１における放送局データベースのデータ構造を示す模式図  （ｂ）本発明の実施例１におけるチャンネルポジション記憶部のデータ構造を示す模式図  （ｃ）本発明の実施例１における枝番設定時のデータ構造を示す模式図  （ｄ）本発明にて表示されるメッセージの一例を示す図
【図４】本発明の実施例１におけるチャンネルポジション記憶部の書き換え動作を示すフローチャート
【符号の説明】
【００２４】
１０１  アンテナ入力端子
１０２  受信部
１０３  ＴＳデコーダ
１０４  ＡＶデコーダ
１０５  放送局コード検出部
１０６  合成部
１０７  出力部
１０８  ユーザ操作入力部
１０９  データ処理部
１１０  放送局データベース
１１１  系列局決定部
１１２  チャンネルポジション記憶部
１１３  系列局比較部                                                      
【図１】
2006166071.tif 000003
【図２】
2006166071.tif 000004
【図３】
2006166071.tif 000005
【図４】
2006166071.tif 000006